(57)【要約】【課題】汚水を効率良く蒸散できる汚水蒸発処理装置を提供する。【解決手段】巻取機24を駆動して蒸発用シート11を汚水槽２の汚水Ｗに浸漬し、蒸発用シート11で汚水槽２の汚水Ｗを吸収する。巻取機24を駆動して蒸発用シート11を汚水槽２の汚水Ｗから引き出す。蒸発用シート11で吸収した汚水Ｗが蒸発する度に、蒸発用シート11を汚水槽２の汚水Ｗに出し入れする動作を間欠的に繰り返す。汚水槽２の汚水Ｗを効率良く蒸発させて飛散できる。汚水Ｗの分量を効率良く少なくできる。【選択図】図１
2009165983.tif 000002
【特許請求の範囲】
【請求項１】
被処理水が貯留される槽本体と、
この槽本体に貯留される被処理水が吸水可能で水平方向に回転可能なシート体と、
このシート体を上下方向に移動可能に吊り下げ支持し、このシート体を下方に移動させてこのシート体の少なくとも下部を槽本体に貯留されている被処理水中に浸漬させるシート出入手段と
を具備したことを特徴とした被処理水処理装置。
【請求項２】
複数のシート体を具備し、
これら複数のシート体は、平行かつ等間隔に配設されている
ことを特徴とした請求項１記載の被処理水処理装置。
【発明の詳細な説明】
【技術分野】
【０００１】
本発明は、被処理水を処理する被処理水処理装置に関する。
【背景技術】
【０００２】
従来、この種の被処理水処理装置である汚水蒸発処理装置としては、一対の浮揚体の間に平行かつ等間隔に複数の浸潤体が並べられて取り付けられた蒸散構造体を具備している。そして、この蒸散構造体を、被処理水としての畜産汚水の液面に浮揚させて、この畜産汚水の水分を蒸散構造体の各浸潤体に浸潤させて蒸発させ、この畜産汚水の蒸散を促進させる構成が知られている（例えば、特許文献１参照。）。
【特許文献１】実開平６−８１６８９号公報
【発明の開示】
【発明が解決しようとする課題】
【０００３】
しかしながら、上述の汚水蒸発装置では、畜産汚水の液面に常に蒸散構造体を浮揚させているため、この蒸散構造体の各浸潤体に常に一定量の水分が浸潤しており、これら各浸潤体による水分の蒸発が効率良くなく、畜産汚水の蒸発の促進が効率良くないという問題を有している。
【０００４】
本発明は、上記問題点に鑑みなされたもので、被処理水を効率良く蒸散できる被処理水処理装置を提供することを目的とする。
【課題を解決するための手段】
【０００５】
請求項１記載の被処理水処理装置は、被処理水が貯留される槽本体と、この槽本体に貯留される被処理水が吸水可能で水平方向に回転可能なシート体と、このシート体を上下方向に移動可能に吊り下げ支持し、このシート体を下方に移動させてこのシート体の少なくとも下部を槽本体に貯留されている被処理水中に浸漬させるシート出入手段とを具備したものである。
【０００６】
請求項２記載の被処理水処理装置は、請求項１記載の被処理水処理装置において、複数のシート体を具備し、これら複数のシート体は、平行かつ等間隔に配設されているものである。
【発明の効果】
【０００７】
請求項１記載の被処理水処理装置によれば、シート出入手段にてシート体を下方に移動させてこのシート体の少なくとも下部を槽本体に貯留されている被処理水中に浸漬できる。また、このシート出入手段にてシート体を上方に移動させてこのシート体の少なくとも下部を槽本体に貯留されている被処理水から取り出すことができる。また、風の向きに応じてシート体が水平方向に回転する。よって、このシート体の全体を用いて、このシート体に吸水された被処理水を蒸発できるから、このシート体にて被処理水を効率良く蒸発できる。
【０００８】
請求項２記載の被処理水処理装置によれば、請求項１記載の被処理水処理装置の効果に加え、平行かつ等間隔に配設された複数のシート体で被処理水を飛散させることにより、この被処理水をより効率良く飛散できる。
【発明を実施するための最良の形態】
【０００９】
以下、本発明の被処理水処理装置の一実施の形態を図１ないし図３を参照して説明する。
【００１０】
図１および図３において、１は被処理水処理装置としての汚水蒸発処理装置で、この汚水蒸発処理装置１は、被処理水としての汚水Ｗ中の水分を蒸発させて飛散させ、この汚水Ｗの分量を少なくするための汚水処理装置である。そして、この汚水蒸発処理装置１は、汚水Ｗが貯留される貯留部としての汚水槽２を有している。この汚水槽２は、汚水Ｗを貯留可能な中空の箱状に合成樹脂などで形成された槽本体である。さらに、この汚水槽２は、この汚水槽２の側面を形成する計４面の側面部３,４と、これら側面部３,４の底側を閉塞する底部５とで構成されている。また、この汚水槽２は、この汚水槽２の底部５を地表面GL上に設置させて水平に設けられている。
【００１１】
さらに、この汚水槽２の外側の地表面GL上には、吊下用アングル６が立設されている。この吊下用アングル６は、汚水槽２の長手方向の中央部の外側に設置されている。そして、この吊下用アングル６は、地表面GLに立設され上下方向に沿った長手方向を有する垂直部７を備えており、この垂直部７の一端部である下端部が地表面GLに挿入されて立設されている。また、この垂直部７の他端部である上端部には、水平方向に沿った長手方向を有する水平部８の一端部である基端部が一体的に接続されている。そして、この水平部８は、この水平部８の長手方向を汚水槽２の幅方向に沿わせた状態で取り付けられており、この水平部８の他端部である先端部が汚水槽２の幅方向の中心上に位置するように取り付けられている。さらに、この水平部８の先端部には、略Ｊの字状のフック体９が下方に向けて取り付けられている。
【００１２】
一方、汚水槽２の上方には、シート体としての複数の蒸発用シート11が張設されて取り付けられている。これら複数の蒸発用シート11は、汚水槽２に貯留される汚水Ｗが吸水可能で含浸可能な織布または不織布などの素材で形成された吸水性シートである。また、これら複数の蒸発用シート11は、汚水槽２の幅寸法より小さな幅寸法を有し、この幅寸法より大きな長さ寸法を有する細長矩形シート状に形成されている。具体的に、これら蒸発用シート11は、例えば１０ｍ以上２０ｍ以下の長さ寸法であって、例えば１ｍの幅寸法の細長矩形状に形成されている。
【００１３】
さらに、これら複数の蒸発用シート11は、長手方向を上下方向に沿わせ、幅方向を汚水槽２の幅方向に沿わせた状態で、これら蒸発用シート11を下側から徐々に折り畳みながら、これら蒸発用シート11の全体が汚水槽２内の汚水Ｗ中に挿入させて浸漬できるように設置されている。また、これら複数の蒸発用シート11は、各吊下用アングル６に１枚ずつ取り付けられている。すなわち、これら複数の蒸発用シート11は、汚水槽２の長手方向に沿って平行かつ等間隔に離間されて並べられて配設されており、例えば５ｍｍ以上３０ｍｍ以下、好ましくは１０ｍｍの間隔に離間されて設置されている。
【００１４】
そして、これら各蒸発用シート11の長手方向の上端側の中央部には、図１および図２に示すように、軸受部としての連結部12がそれぞれ設けられている。これら連結部12は、細長紐状の紐部13の一端が蒸発用シート11の上端側の中央部に連結され、この紐部13の他端に球状の係止体14が取り付けられて構成されている。さらに、これら連結部12の係止体14には、被連結部15が係脱可能に連結されている。これら被連結部15は、連結部12の係止体14が水平方向に回転可能かつ係脱可能に係止される中空な被係止体16を備えている。
【００１５】
ここで、この被係止体16は、連結部12の係止体14を回転可能に係止できる大きさの内部空間を有している。また、この被係止体16の下側は、外側から内側に向けて徐々に縮径した円錐面状に形成されている。さらに、この被係止体16の下部中央には、連結部12の紐部13が挿通可能な開口部17が形成されている。よって、各蒸発用シート11は、連結部12の係止体14と被連結部15の被係止体16との水平方向に回転可能かつ滑動可能な係止により、これら蒸発用シート11の幅方向の向きが水平方向である平行方向に沿って移動可能、すなわちこれら各蒸発用シート11が常に風向きと平行な方向を向くように回転可能にそれぞれ取り付けられている。
【００１６】
また、これら各被連結部15の被係止体16の上端側は、接続部としての細長紐状の連結紐18の長手方向の一端である下端に接続されて固定されている。そして、これら連結紐18の長手方向の他端である上端は、連結部としての平坦な格子状に形成された枠体19に接続されてそれぞれ固定されている。この枠体19は、長手方向および幅方向のそれぞれを水平方向に沿わせつつ、この長手方向を汚水槽２の長手方向に沿わせた状態で設置されている。
【００１７】
そして、この枠体19の下側の面の幅方向の中央部には、各蒸発用シート11に連結された連結紐18のそれぞれの上端が長手方向に沿って等間隔に離間された状態で連結されて固定されている。よって、この枠体19の下方には、この枠体19の長手方向に沿って複数の蒸発用シート11が等間隔に離間された状態で吊り下げ支持されて水平に取り付けられている。
【００１８】
さらに、この枠体19の上側の面の幅方向および長手方向のそれぞれの中央部には、細長紐状の紐状体21の長手方向の一端が接続されて固定されている。この紐状体21は、例えばロープやワイヤなどで構成されており、この紐状体21の一端側が、吊下用アングル６のフック体９に摺動可能に係止されて取り付けられている。さらに、この紐状体21の中間部は、吊下用アングル６の垂直部７の上端部の高さ位置に略等しい高さ位置に取り付けられた回転可能な滑車体22に摺動可能に係止されている。この滑車体22は、吊下用アングル６が設けられている汚水槽２の幅方向の一側とは反対側の汚水槽２の幅方向の他側に設けられている。
【００１９】
さらに、この滑車体22の下方には、紐状体21の長手方向の他端側である基端側を巻き取り可能に支持するローラ23を有する巻取機24が取り付けられている。この巻取機24は、この巻取機24を駆動させてローラ23を一方向である順方向に回転駆動させることによって紐状体21を巻き取って各蒸発用シート11のそれぞれを枠体19を介して上方へ移動させて、これら蒸発用シート11の全体を汚水槽２内の汚水Ｗ中から引き上げて引き出させる。また、この巻取機24は、この巻取機24を駆動させてローラ23を他方向である逆方向に回転駆動させることによって、このローラ23に巻き取られている紐状体21が巻き出されて各蒸発用シート11のそれぞれを枠体19を介して下方へ移動させて、これら各蒸発用シート11の全体を汚水槽２内の汚水Ｗ中に挿入させて浸漬させる。
【００２０】
そして、これら巻取機24、滑車体22、紐状体21、枠体19、連結紐18、連結部12および吊下用アングル６によって、各蒸発用シート11のそれぞれを汚水槽２に貯留されている汚水Ｗ中に出入させるシート出入手段としての張設装置であるシート上下移動機構25が構成されている。すなわち、このシート上下移動機構25は、各蒸発用シート11を上下方向に一体的に移動可能に吊り下げ支持し、これら各蒸発用シート11を一体的に下方に移動させて、これら蒸発用シート11を下側から徐々に折り畳みながら、これら蒸発用シート11の全体を汚水槽２に貯留されている汚水Ｗ中に挿入させて浸漬させる。
【００２１】
次に、上記一実施の形態の被処理水処理装置の作用を説明する。
【００２２】
まず、図１に示すように、汚水蒸発処理装置１の汚水槽２に所定量の汚水Ｗを流入させる（ステップ１）。
【００２３】
この状態で、巻取機24を駆動させてローラ23を逆方向に回転させ、このローラ23から紐状体21を巻き出して、各蒸発用シート11のそれぞれを下側から徐々に折り畳みながら、これら各蒸発用シート11の全体が汚水槽２内の汚水Ｗ中に浸漬する位置まで、これら蒸発用シート11を自重にて枠体19を介して一体的に下方に移動させる（ステップ２）。
【００２４】
この状態で、巻取機24の駆動を停止させて、各蒸発用シート11の全体が汚水槽２内の汚水Ｗに浸漬している状態を維持させ、これら蒸発用シート11の全体に汚水槽２内の汚水Ｗを含浸させて染み込ませて吸収させる（ステップ３）。
【００２５】
次いで、これら蒸発用シート11の全体に汚水槽２内の汚水Ｗがある程度吸収された場合には、巻取機24を駆動させてローラ23を順方向に回転させ、このローラ23に紐状体21を巻き取って、各蒸発用シート11の全体が汚水槽２内の汚水Ｗから引き出される位置まで枠体19を吊り上げて、これら各蒸発用シート11のそれぞれを上方に一体的に移動させる（ステップ４）。
【００２６】
この後、これら各蒸発用シート11に吸収された汚水Ｗがある程度蒸発して飛散された場合には、ステップ２からステップ４までを繰り返して間欠的に動作させる。
【００２７】
この結果、上記一実施の形態によれば、これら各蒸発用シート11に吸収された汚水Ｗが蒸発して飛散される度に、ステップ２からステップ４までの動作を間欠的に繰り返すことによって、汚水槽２に貯留されている汚水Ｗを効率良く蒸発させて飛散できる。よって、汚水槽２に貯留されている汚水Ｗをそのまま放置して、この汚水Ｗを飛散させる場合に比べ、この汚水槽２内の汚水Ｗを効率良く蒸発させて飛散できるから、この汚水槽２内の汚水２の分量を効率良く少なくできる。
【００２８】
また、シート上下移動機構25の巻取機24を駆動させてローラ23を回転させることによって、紐状体21が巻き取りまたは巻き出されて、この紐状体21に取り付けられている枠体19を介して各蒸発用シート11が上下方向に一体的に移動される。このため、このシート上下移動機構25にて各蒸発用シート11を下方に移動させることによって、これら蒸発用シート11の全体を汚水槽２内の汚水Ｗ中に浸漬できる。また、このシート上下移動機構25にて各蒸発用シート11を上方に移動させることによって、これら蒸発用シート11の全体を汚水槽２内の汚水Ｗから取り出すことができる。よって、このシート上下移動機構25を設けたことにより、汚水槽２内の汚水Ｗに対する各蒸発用シート11の出し入れ動作を容易にできる。
【００２９】
そして、これら蒸発用シート11を汚水槽２の長手方向に向けて平行かつ等間隔に配設させたことにより、これら蒸発用シート11のそれぞれを用いて汚水槽２内の汚水Ｗを蒸発させて飛散できるから、この汚水槽２内の汚水Ｗを効率良く飛散できる。
【００３０】
さらに、連結部12の係止体14と被連結部15の被係止体16との水平方向に回転可能な係止によって、各蒸発用シート11が常に風向きと平行な方向を向くように水平方向に回転可能に取り付けられている。このため、これら各蒸発用シート11に吹き付ける風の向きが変化などした場合には、これら各蒸発用シート11に吹き付ける風の圧力（風圧）によって、これら各蒸発用シート11が押され、これら各蒸発用シート11が受ける風圧が最も小さくなる方向、すなわちこれら各蒸発用シート11の幅方向が風の向きに対して常に平行な方向になるように、これら各蒸発用シート11が水平方向に沿って自動的に回転する。この結果、風の向きの変化に応じて各蒸発用シート11の向きを自動的に変化でき、これら各蒸発用シート11による単位面積当たりの汚水Ｗの蒸発面積をより大きくできるから、これら各蒸発用シート11による汚水Ｗの蒸発効率をより向上できる。
【００３１】
また、これら各蒸発用シート11に付着した汚物などによって、これら蒸発用シート11自体の質量が変化することから、これら各蒸発用シート11を用いて汚水Ｗを飛散させる際の天候、気温あるいは季節などによって、これら蒸発用シート11を間欠的に上げ下げするステップ２からステップ４までの動作の時間間隔および回数を調整することにより、これら蒸発用シート11による汚水Ｗの蒸発効率をより効率良くできる。
【００３２】
ここで、例えば幅寸法が１ｍで長さ寸法が１０ｍの複数の蒸発用シート11を１ｃｍ間隔で平行に並べた場合には、これら各蒸発用シート11の両面から汚水Ｗを蒸発できるので、これら蒸発用シート11による蒸発面積を、敷地面積１ｍ２当たり２０００ｍ２に格段に大きくできる。したがって、これら蒸発用シート11によって十分に実用性のある蒸発速度を得ることができる。すなわち、汚水槽２内の汚水Ｗをそのまま放置して飛散させる場合に比べ、この汚水Ｗの飛散速度を２０００倍に加速できるとともに、各蒸発用シート11の上下方向の長さをより長くしたり、これら蒸発用シート11の設置間隔をより短くしたりすることによって、これら蒸発用シート11による汚水Ｗの飛散速度をより加速できる。
【００３３】
なお、上記一実施の一形態において、汚水Ｗを対象として説明したが、汚水Ｗ以外の浄化処理が必要ないずれの被処理水であっても対応させて用いることができる。
【００３４】
また、各蒸発用シート11の大きさは、一般的に１０ｍ以上２０ｍ以下であるが、立地条件に応じて適宜変更でき、例えば２０ｍ以上の長さ寸法にすることもできる。逆に、汚水蒸発処理装置１の規模を小さくする場合には、これら各蒸発用シート11の大きさを、例えば１０ｍ以下の数ｍ程度の長さ寸法にすることもできる。
【００３５】
さらに、各蒸発用シート11を下側から徐々に折り畳みながら、これら蒸発用シート11の全体を汚水槽２内の汚水Ｗに浸漬させる構成としたが、これら各蒸発用シート11の下部のみや、これら各蒸発用シート11の長手方向の中間部までなど、これら各蒸発用シート11の少なくとも下部を汚水槽２内の汚水Ｗに浸漬させる構成とすることもできる。
【００３６】
また、これら各蒸発用シート11に汚物などが付着せず、これら蒸発用シート11自体の質量が変化しない場合には、これら各蒸発用シート11の質量を検知する検知手段として図示しない質量計を取り付ける。また、これら質量計にて検知された蒸発用シート11の質量が、予め定めた値より小さくなった場合に、自動的に巻取機24を駆動させて蒸発用シート11の全体を汚水槽２内の汚水Ｗ中に浸漬させ、この状態を所定時間維持させて、これら蒸発用シート11に汚水Ｗを染み込ませた後に、巻取機24を駆動させて蒸発シート11の全体が汚水槽２内の汚水Ｗから引き出される位置まで引き上げる制御手段としての図示しない制御装置を取り付ける。
【００３７】
この結果、この制御装置に、汚水Ｗを吸水していない状態、または汚水Ｗをある程度吸水した状態の蒸発用シート11の質量を予め定めた値として記憶させることにより、これら各蒸発用シート11に吸収されている汚水Ｗが蒸発して、これら蒸発用シート11の質量が小さくなる度に、これら蒸発用シート11を汚水槽２内の汚水Ｗに対して自動的に出し入れできるから、これら蒸発用シート11の出入操作をより容易にできる。
【００３８】
また、各蒸発用シート11のそれぞれを枠体19の下部に吊り下げ支持させ、この枠体19をシート上下移動機構25にて上下動させて、各蒸発用シート11のそれぞれを一体的に連動させて上下動させる構成としたが、これら各蒸発用シート11のそれぞれに別個のシート上下移動機構25をそれぞれ取り付け、これら蒸発用シート11を別々に上下動できる構成とすることもできる。
【図面の簡単な説明】
【００３９】
【図１】本発明の被処理水処理装置の一実施の形態を示す説明正面図である。
【図２】同上被処理水処理装置の一部を示す部分拡大図である。
【図３】同上被処理水処理装置を示す説明側面図である。
【符号の説明】
【００４０】
１    被処理水処理装置としての汚水蒸発処理装置
２    槽本体としての汚水槽
11    シート体としての蒸発用シート
25    シート出入手段としてのシート上下移動機構
Ｗ    被処理水としての汚水
【図１】
2009165983.tif 000003
【図２】
2009165983.tif 000004
【図３】
2009165983.tif 000005